(57)【要約】【課題】繰り返しの瞬断からの復帰後に、突入電流防止回路の抵抗の焼損を防止可能とすること。【解決手段】電源装置１は、入力交流電圧を直流電圧Ｖ１，Ｖ２に変換するために、少なくとも、入力交流電圧のオフを検出して、検出信号を出力するモニタ回路１１と、抵抗１２１と、該抵抗１２１をバイパス可能に並列接続されたスイッチとを含み、モニタ回路１１の後段に接続された突入電流防止回路１２と、モニタ回路１１の検出信号Ｓ１の入力時から所定時間経過後に前記スイッチをオンにする遅延手段１７と、を備える。【選択図】図２
2014007817.tif 000002
【特許請求の範囲】
【請求項１】
入力交流電圧から、電子機器に供給する直流電圧に変換する電源装置であって、
少なくとも、入力交流電圧のオフを検出して、検出信号を出力するモニタ回路と、
抵抗と、該抵抗をバイパス可能に並列接続されたスイッチとを含み、前記モニタ回路の後段に接続された突入電流防止回路と、
前記モニタ回路の検出信号の入力時から所定時間経過後に前記スイッチをオンにする遅延手段と、を備える、電源装置。
【請求項２】
前記制御手段は、前記電子機器が待機状態であると判断した場合、前記モニタ回路の検出信号の入力時から所定時間経過後に前記スイッチをオンにする、請求項１に記載の電源装置。
【請求項３】
前記電子機器には、ユーザのマニュアル操作によりオン／オフを切り替え可能なメインスイッチが備わっており、前記所定時間は、前記メインスイッチの切り替えに要する時間を超えず、入力瞬断試験における交流電圧の瞬断時間以上である、請求項１または２に記載の電源装置。
【請求項４】
前記所定時間は１００［ｍｓ］である、請求項３に記載の電源装置。
【請求項５】
入力交流電圧を直流電圧に変換する電源装置と、
前記電源装置に接続され、前記電源装置で生成された直流電圧により動作する、少なくとも一つの負荷と、を備え、
前記電源装置は、
少なくとも、入力交流電圧のオフを検出して、検出信号を出力するモニタ回路と、
抵抗と、該抵抗をバイパス可能に並列接続されたスイッチとを含み、前記モニタ回路の後段に接続された突入電流防止回路と、
前記モニタ回路の検出信号の入力時から所定時間経過後に前記スイッチをオンにする遅延手段と、を含む、画像形成装置。
【発明の詳細な説明】
【技術分野】
【０００１】
本発明は、突入電流防止回路を備えた電源装置、およびこれを備えた画像形成装置に関する。
【背景技術】
【０００２】
従来、画像形成装置のような電子機器には、上記のような電源装置が搭載される。この種の電源装置としては、例えば特許文献１に記載のものがある。従来の電源装置には、始動時にコンデンサの充電を行うために定格よりも大きな電流が流れる。この大きな突入電流から電子部品を保護するために、電源装置には突入電流防止回路等が備わる。突入電流防止回路のスイッチは、外部交流電源の投入時から所定の期間遅延させた時点で閉じられ、これによって、突入電流防止回路の抵抗をバイパスする。それに対し、外部交流電圧が切られたときには、突入電流防止回路のスイッチは開放させられる。
【先行技術文献】
【特許文献】
【０００３】
【特許文献１】特開２００２−７８３４４号公報
【発明の概要】
【発明が解決しようとする課題】
【０００４】
一般的に、電源装置を備えた電子機器は、各国安全規格を満たすために、入力瞬断試験（つまり、入力電圧を一サイクル（入力周波数が５０［Ｈｚ］であれば瞬断時間は２０［ｍｓ］）の間ゼロ［Ｖ］にして、電子機器の機能低下や破損が無いことを確認する試験）を受ける場合がある。しかしながら、従来の電源装置では、入力瞬断試験で突入電流防止回路は繰り返し動作するため、抵抗の温度が上昇する。この状態で瞬断から復帰し、電子機器が大電力を必要とする場合、突入電流防止回路の抵抗に突入電流が流れてしまう。その結果、抵抗が焼損する場合がある。
【０００５】
それゆえに、本発明の目的は、繰り返しの瞬断からの復帰後に、突入電流防止回路の抵抗の焼損を防止可能な電源装置、およびこれに備わる画像形成装置を提供することである。
【課題を解決するための手段】
【０００６】
上記目的を達成するために、本発明の第一局面は、入力交流電圧から、電子機器に供給する直流電圧に変換する電源装置であって、少なくとも、入力交流電圧のオフを検出して、検出信号を出力するモニタ回路と、抵抗と、該抵抗をバイパス可能に並列接続されたスイッチとを含み、前記モニタ回路の後段に接続された突入電流防止回路と、前記モニタ回路の検出信号の入力時から所定時間経過後に前記スイッチをオンにする遅延手段と、を備える。
【０００７】
本発明の第二局面は、上記電源装置を備えた画像形成装置である。
【発明の効果】
【０００８】
上記各局面よれば、突入電流防止回路に備わる抵抗の焼損を防止可能な電源装置、およびこれに備わる画像形成装置を提供することが可能となる。
【図面の簡単な説明】
【０００９】
【図１】本発明の各実施形態に係る電源装置を備えた画像形成装置の大略的な構成を示す模式図である。
【図２】第一実施形態に係る電源装置の詳細な構成を示すブロック図である。
【図３】図２の電源装置の動作を示すフロー図である。
【図４】第二実施形態に係る電源装置の詳細な構成を示すブロック図である。
【図５】図４の電源装置の動作を示すフロー図である。
【図６】第三実施形態に係る電源装置の詳細な構成を示すブロック図である。
【図７】図６の電源装置の動作を示すフロー図である。
【発明を実施するための形態】
【００１０】
（第一実施形態）
図１は、本発明の第一実施形態に係る電源装置を備えた画像形成装置の詳細な構成を示す模式図である。なお、図１は、第二および第三実施形態でも援用される。また、図２は、第一実施形態に係る電源装置の詳細な構成と、画像形成装置との接続関係とを示すブロック図である。
【００１１】
電源装置等の説明の前に、以下の文言を定義する。まず、画像形成装置の左右方向および上下方向は、図１の紙面の左右方向および上下方向とする。また、図１に示す構成の中には、参照番号の右側に添え字ａ，ｂ，ｃ，ｄが付加されるものがある。ａ，ｂ，ｃ，ｄは、イエロー（Ｙ）、マゼンタ（Ｍ）、シアン（Ｃ）、ブラック（Ｂｋ）を意味する。例えば、感光体ドラム８７ａは、イエローの感光体ドラム８７を意味する。また、添え字無しの参照番号は、Ｙ，Ｍ，Ｃ，Ｂｋの各色を意味する。例えば、感光体ドラム８７は、Ｙ，Ｍ，Ｃ，Ｂｋ各色の感光体ドラムを意味する。
【００１２】
（画像形成装置の構成）
図１および図２において、画像形成装置は、電子写真方式を採用したＭＦＰ(Multifunction Peripheral)等であり、例えばタンデム方式でフルカラーの印刷物を作成可能に構成されている。具体的には、画像形成装置は、電源装置１と、ＡＣ入力端子２と、メインスイッチ３と、エンジン負荷４と、制御基板５と、供給装置６と、印刷部７と、を備える。
【００１３】
電源装置１は、ＡＣ入力端子２を介して商用電源から交流電圧の供給を受ける。電源装置１は、入力交流電圧から、所望の直流電圧に変換する。本実施形態では、二種類の直流電圧、つまり２４［Ｖ］の直流電圧Ｖ１と、５［Ｖ］の直流電圧Ｖ２とが生成される。直流電圧Ｖ１は典型的にはエンジン負荷４に、直流電圧Ｖ２は典型的には制御基板５に提供される。
【００１４】
メインスイッチ３は、ＡＣ入力端子２のＬ端子と電源装置１との間に設けられ、例えばユーザのマニュアル操作によりオン／オフされる。
【００１５】
エンジン負荷４は、典型的には、駆動モータ、冷却ファンおよび高圧電源を含んでおり、上記直流電圧Ｖ１で駆動する。駆動モータは、画像形成装置に備わる各回転体（例えば感光体ドラム８７等）に対し回転駆動する。また、冷却ファンは、画像形成装置に備わる発熱部品（定着器等）を冷却する。高圧電源は、画像形成装置に備わる帯電器や現像器等に供給されるＤＣバイアス電圧等を生成する。
【００１６】
制御基板５には、ＣＰＵ５１および制御負荷５２が実装されている。ＣＰＵ５１は、画像形成装置の構成各部を制御する。制御負荷５２は、例えばＣＰＵ５１を冷却するための冷却ファンを含む。制御負荷５２としては、他にも液晶ディスプレイ等がある。
【００１７】
図１において、供給装置６において、供給トレイ６１に積載されたシート材Ｓは、ピックアップローラ６２により取り出される。取り出されたシート材Ｓは１枚ずつ、供給ローラ６３および分離ローラ６４によって搬送経路Ｒ１（点線参照）に送り出される。
【００１８】
印刷部７において、レジストローラ対７１はレジストニップを形成している。このレジストニップには、供給装置６から送り出され搬送経路Ｒ１を搬送されてきたシート材Ｓが突き当てられ、一旦停止する。レジストローラ対７１は、後述の二次転写に合うタイミングで、一旦停止したシート材Ｓを搬送経路Ｒ１の下流に送り出す。
【００１９】
印刷部７において、イメージングユニット７２は、レジストローラ対７１に対し搬送経路Ｒ１の直ぐ下流に設けられ、光走査装置８１と、中間転写ベルト８２と、駆動ローラ８３と、従動ローラ８４と、二次転写ローラ８５と、各色の作像ユニット８６と、を含んでいる。また、各色の作像ユニット８６は、回転可能に構成された感光体ドラム８７を含んでいる。
【００２０】
光走査装置８１は、画像データが入力されると、色毎に光ビームγを生成して、回転する感光体ドラム８７の外周面上で走査する。これにより、各外周面に、対応色の静電潜像が生成される。その後、各色用の現像器（図示せず）により静電潜像が現像され、トナー画像が生成される。
【００２１】
中間転写ベルト８２は、ローラ８３，８４間に無端状に張り渡され、矢印αの方向に回転する。この中間転写ベルト８２の所定エリアには、感光体ドラム８７に担持された各トナー画像が順次転写され（一次転写）、各色のトナー画像が重なり合ったフルカラーの合成トナー画像が形成される。合成トナー画像は、中間転写ベルト８２の駆動により、二次転写ローラ８５に向けて搬送される。
【００２２】
二次転写ローラ８５は、中間転写ベルト８２と当接して二次転写ニップを形成する。二次転写ニップには、レジストローラ対７１からシート材Ｓが導入される。二次転写ローラ８５には転写電圧が印加されており、二次転写ニップを通過するシート材Ｓに中間転写ベルト８２上の合成トナー画像が二次転写される。二次転写ローラ８５および中間転写ベルト８２は、二次転写済のシート材Ｓを搬送経路Ｒ１の下流に送り出す。
【００２３】
定着器７３には、加熱ローラおよび加圧ローラによって定着ニップが形成されている。この定着ニップを上記二次転写ニップからのシート材Ｓが通過することで、定着器７３は、シート材Ｓ上に合成トナー画像を定着させる。その後、定着器７３は、搬送経路Ｒ１の下流に設けられた反転／排出ローラ対７４にシート材Ｓを送り出す。
【００２４】
反転／排出ローラ対７４は、シート材Ｓの両面印刷時、第一面（表面）への定着処理済のシート材Ｓが定着器７３から導入されると、第二面（裏面）への印刷のために、該シート材Ｓをスイッチバックして反転経路Ｒ２（一点鎖線参照）に送り出す。このシート材Ｓは、反転経路Ｒ２上に配置された両面搬送ローラ対７５，７６によって、レジストローラ対７１に向けて搬送される。その後、シート材Ｓは、所定の再供給位置で一旦停止させられ、搬送経路Ｒ１と反転経路Ｒ２との合流ポイントを通過する他のシート材Ｓとのタイミング調整がなされた後、表裏反転された状態で、レジストニップに突き当てられる。その後、上記と同様にして、第二面に対し二次転写や定着処理が行われる。
【００２５】
反転／排出ローラ対７４は、第二面への定着処理済のシート材Ｓが導入されると、該シート材Ｓを排出トレイ７７に排出する。また、片面印刷の場合には、第一面への定着処理済のシート材Ｓは、スイッチバックされることなく、反転／排出ローラ対７４から排出トレイ７７に排出される。
【００２６】
（電源装置の構成）
図２において、電源装置１は、モニタ回路１１と、突入電流防止回路（以下、単に防止回路という）１２と、ダイオードブリッジ１３と、コンデンサ１４と、大負荷用ＤＣ／ＤＣコンバータ１５と、小負荷用ＤＣ／ＤＣコンバータ１６と、遅延手段１７と、スイッチング素子１８と、を含んでいる。
【００２７】
モニタ回路１１は、電源装置１の前端に、より具体的には、電源供給ライン上であってＡＣ入力端子２および突入電流防止回路１２の間に設けられる。モニタ回路１１は、少なくとも、交流電圧の入力オフを検出し、その旨を示す検出信号Ｓ１を後述の遅延手段１７に出力する。本実施形態では、検出信号Ｓ１は、交流電圧の入力オフを示すためにＬｏレベルの信号とする。なお、モニタ回路１１は、実際には、交流電圧の入力がオンになったことも検出可能であり、それを検出すると、Ｈｉレベルの検出信号Ｓ１を出力する。
【００２８】
防止回路１２は、電源供給ライン上であってモニタ回路１１とダイオードブリッジ１３の間に設けられる。この防止回路１２は、抵抗１２１と、バイパス線路１２２と、リレー１２３と、を有する。抵抗１２１は、電源供給ラインの接地側に設けられる。バイパス線路１２２は、抵抗１２１と並列接続され、該抵抗１２１をパイパスするための線路である。リレー１２３は、スイッチおよびコイルを有する。スイッチは、バイパス線路１２２上に設けられる。コイルには、ＤＣ／ＤＣコンバータ１５の直流電圧Ｖ１が供給される。本実施形態では、コイルに電流が流れている間はスイッチが閉じ、これによってバイパス線路１２２をショートする。逆に、コイルに電流が流れていない間にはスイッチは開く。
【００２９】
ダイオードブリッジ１３は、電源供給ライン上において防止回路１２とＤＣ／ＤＣコンバータ１５との間に設けられ、入力交流電圧を、半波整流等して直流電圧を生成する。
【００３０】
コンデンサ１４は、ダイオードブリッジ１３の後段に並列接続され、入力直流電圧を平滑化する。
【００３１】
ＤＣ／ＤＣコンバータ１５は、コンデンサ１４により平滑化された直流電圧を、２４［Ｖ］の直流電圧Ｖ１に変換して、上記エンジン負荷４に供給する。また、ＤＣ／ＤＣコンバータ１５は、ＣＰＵ５１から送信されてくる制御信号Ｓ２によりオン／オフされる。これによって、画像形成装置は、待機モード（省電力モード）に入ったり、待機モードから復帰したりする。
【００３２】
ＤＣ／ＤＣコンバータ１６は、コンデンサ１４により平滑化された直流電圧を、直流電圧Ｖ１よりも小さな５［Ｖ］の直流電圧Ｖ２に変換して、上記制御基板５に供給する。また、ＤＣ／ＤＣコンバータ１６は、ＤＣ／ＤＣコンバータ１５とは異なり、メインスイッチ３がオンの間はずっと動作する。
【００３３】
遅延手段１７は、モニタ回路１１と信号ラインで接続され、予め定められた時定数τを有する電子回路である。ここで、時定数τは１００［ｍｓ］程度に選ばれることが好ましい。ここで、ユーザのマニュアル操作でメインスイッチ３のオフからオンへの切り替えには、少なくとも１［ｓ］は要し、１００［ｍｓ］を下回ることは実質的に無いと想定される。この想定に基づき、時定数τは１００［ｍｓ］程度に選ばれている。
【００３４】
このような遅延手段１７は、モニタ回路１１からＬｏレベルの検出信号Ｓ１を受信すると、その受信時を基準として時定数の時間が経過後に、制御信号Ｓ３をスイッチング素子１８に出力する。
【００３５】
スイッチング素子１８は、例えばＦＥＴである。このソースにはリレー１２３のコイルが接続され、そのドレインは接地され、また、ゲートには遅延手段１７の出力端が接続される。スイッチング素子１８のゲートにＬｏレベルの制御信号Ｓ３が入力されると、ソースからドレインに電流が流れる。つまり、スイッチング素子１８はオン状態となる。逆に、Ｈｉレベルの場合、ソース−ドレイン間には電流は流れず、スイッチング素子１８はオフ状態になる。つまり、リレー１２３のコイルとグランドとの間はオープンとなる。
【００３６】
（電源装置の動作）
次に、図３を参照して、交流電源がオフからオンへと短時間で遷移した時（例えば入力瞬断試験時）における電源装置１の動作について説明する。まず、交流電圧がオフになる（Ｓ３１）、モニタ回路１１は、検出信号Ｓ１（Ｌｏレベル）を遅延手段１７に出力する（Ｓ３２）。遅延手段１７は、この検出信号Ｓ１の受信時点から時定数τの時間が経過すると、制御信号Ｓ３（Ｌｏレベル）をスイッチング素子１８に出力して、スイッチング素子１８をオフにする（Ｓ３３）。Ｓ３３の結果、リレー１２３のコイルとグランドとの間はオープンとなるため、該コイルには電流が流れなくなる。その結果、リレー１２３のスイッチはオフ状態になる（Ｓ３４）。その後、交流電源がオンになると、突入電流は防止回路１２の抵抗に流れる（Ｓ３５）。
【００３７】
（電源装置の作用・効果）
以上説明したように、電源装置１では、Ｌｏレベルの検出信号Ｓ１の受信から時定数τの経過後に、リレー１２３がオフにされる。これによって、抵抗１２１に電流が流れるようになる。ここで、時定数は入力瞬断試験の耐量として５サイクル分（１００［ｍｓ］）とされているため、入力瞬断試験の間にリレー１２３が動作することはない。これによって、オフ→オンの繰り返し（つまり瞬断）からの復帰後に抵抗１２１が焼損することを防止できる。また、メインスイッチ３の切り替えは１００［ｍｓ］では実質的に無理であるため、交流電圧のオフ検出後１００［ｍｓ］でリレー１２３をオフすることで、防止回路１２は、突入電流を正しく抵抗１２１に流すことが可能となる。
【００３８】
（第二実施形態）
次に、図１、図４および図５を参照して、第二実施形態に係る電源装置および画像形成装置について説明する。
【００３９】
（画像形成装置の構成）
第二実施形態の画像形成装置は、第一実施形態のものと比較すると、電源装置１および制御基板５に代えて電源装置１ａおよび制御基板５ａを備える点で相違する（図１参照）。また、図４において、電源装置１ａは、電源装置１と比較すると、遅延手段１７およびスイッチング素子１８を備えない点で相違する。上記以外は共通であるため、第二実施形態において、第一実施形態の構成に相当するものの説明を省略する。
【００４０】
制御基板５ａには、ＣＰＵ５１ａ、制御負荷５２およびメモリ５３ａが実装されている。ＣＰＵ５１ａは、ＣＰＵ５１と同様に画像形成装置の構成各部を制御する。それ以外にも、ＣＰＵ５１ａは、モニタ回路１１の検出信号Ｓ１に応答して、メモリ５３ａに格納されたプログラムを実行して、大負荷用ＤＣ／ＤＣコンバータ１５のオン／オフを制御する。制御負荷５２は既に説明した通りであるため、その説明を省略する。
【００４１】
（電源装置の動作）
次に、図５を参照して、図４の電源装置１ａの動作について説明する。図５のフロー図は、図３のそれと比較すると、Ｓ３３，Ｓ３４に代えて、Ｓ５１〜Ｓ５６を備える点で相違する。それ以外は共通であるため、図５において、図３のステップに相当するものには同一のステップ番号を付け、それぞれの説明を省略する。
【００４２】
Ｓ３１およびＳ３２が実行されると、ＣＰＵ５１ａには、モニタ回路１１から、Ｌｏレベルの検出信号Ｓ１が送信されてくる。この検出信号Ｓ１を受信すると、ＣＰＵ５１ａは、メモリ５３ａに格納されたプログラムの実行を開始する。
【００４３】
まず、ＣＰＵ５１ａは、画像形成装置が待機モードに入るか否かを判断する（Ｓ５１）。ＮＯの場合、主電源をオフする（Ｓ５２）。
【００４４】
それに対し、ＹＥＳの場合、ＣＰＵ５１ａは、遅延処理を行うために、図示しないタイマーを起動して、所定時間（第一実施形態と同様の１００［ｍｓ］）の計時を開始する（Ｓ５３）。その後、ＣＰＵ５１ａは、１００［ｍｓ］が経過すると（Ｓ５４）、大負荷用ＤＣ／ＤＣコンバータ１５に対し、制御信号Ｓ２を与える（Ｓ５５）。ここで、大負荷用ＤＣ／ＤＣコンバータ１５には、該コンバータ１５の動作をオン／オフするためのメインリレーが備わる。制御信号Ｓ２は、このメインリレーに与えられて、大負荷用ＤＣ／ＤＣコンバータ１５の動作をオフにするための信号である。
【００４５】
その結果、直流電圧Ｖ１が垂下し、やがてリレー１２３に備わるコイルへの通電が停止する。その結果、リレー１２３のスイッチはオフ状態になる（Ｓ５６）。その後、交流電源がオンになると、突入電流は防止回路１２の抵抗に流れる（Ｓ３５）。
【００４６】
（電源装置の作用・効果）
以上説明したように、電源装置１ａでは、Ｌｏレベルの検出信号Ｓ１の受信から所定時間経過後に、リレー１２３をオフにする。よって、第一実施形態と同様の効果を奏することになる。これに加え、電源装置１ａは、ソフトウェア制御でリレー１２３のオフにしているため、第一実施形態では必要であった遅延手段１７およびスイッチング素子１８のようなハードウェア構成を必要としない。それゆえ、電源装置１ａを低コストで小型化できる。
【００４７】
（第三実施形態）
次に、図１、図６および図７を参照して、第三実施形態に係る電源装置および画像形成装置について説明する。
【００４８】
（画像形成装置の構成）
第三実施形態の画像形成装置は、第一実施形態のものと比較すると、電源装置１および制御基板５に代えて電源装置１ｂおよび制御基板５ｂを備える点で相違する（図１参照）。また、図６において、電源装置１ｂは、図４の電源装置１ａと比較すると、遅延手段１７およびスイッチング素子１８をさらに備える点で相違する。上記以外は共通であるため、第三実施形態において、第二実施形態の構成に相当するものの説明を省略する。
【００４９】
制御基板５ｂには、ＣＰＵ５１ｂ、制御負荷５２およびメモリ５３ｂが実装されている。ＣＰＵ５１ｂは、画像形成装置の構成各部を制御する以外に、モニタ回路１１の検出信号Ｓ１に応答して、メモリ５３ｂに格納されたプログラムを実行して、遅延手段１７に制御信号Ｓ３を送信する。制御負荷５２は第一実施形態で説明した通りであるため、その説明を省略する。
【００５０】
（電源装置の動作）
次に、図７を参照して、図６の電源装置１ｂの動作について説明する。図７のフロー図は、図３のＳ３１〜Ｓ３５と、図５のＳ５１およびＳ５２とからなる。
【００５１】
Ｓ３１およびＳ３２が実行されると、ＣＰＵ５１ｂには、モニタ回路１１から、Ｌｏレベルの検出信号Ｓ１が送信されてくる。この検出信号Ｓ１を受信すると、ＣＰＵ５１ｂは、メモリ５３ｂに格納されたプログラムの実行を開始する。
【００５２】
まず、ＣＰＵ５１ｂは、画像形成装置が待機モードに入るか否かを判断する（Ｓ５１）。ＮＯの場合、主電源をオフする（Ｓ５２）。
【００５３】
それに対し、ＹＥＳの場合、ＣＰＵ５１ｂは、遅延手段１７に対し、Ｌｏレベルの制御信号Ｓ３を送信する。遅延手段１７は、制御信号Ｓ３の受信時点から時定数τの時間が経過すると、Ｌｏレベルの制御信号Ｓ４をスイッチング素子１８に出力して、スイッチング素子１８をオフにする（Ｓ３３）。Ｓ３３の結果、リレー１２３のコイルとグランドとの間はオープンとなり、その結果、該リレー１２３のスイッチはオフ状態になる（Ｓ３４）。その後、交流電源がオンになると、突入電流は防止回路１２の抵抗に流れる（Ｓ３５）。
【００５４】
（電源装置の作用・効果）
以上説明したように、電源装置１ｂでは、Ｌｏレベルの検出信号Ｓ１の受信から概ね１００［ｍｓ］経過後に、リレー１２３がオフにされる。よって、第一実施形態と同様の効果を奏することが可能となる。
【００５５】
（付記）
上記各実施形態では、電源装置１，１ａ，１ｂは、画像形成装置に備わるとして説明したが、他の電気機器に備わっていても構わない。
【００５６】
また、上記第一および第三実施形態では、遅延手段１７は時定数τを有する電子回路として説明した。しかし、これに限らず、遅延手段１７は、第一実施形態では検出信号Ｓ１を時定数τの時間だけ遅延させる信号ラインであっても良い。また、第三実施形態では、遅延手段１７は、制御信号Ｓ３を時定数τの時間だけ遅延させる信号ラインであっても良い。
【産業上の利用可能性】
【００５７】
本発明に係る電源回路および画像形成装置は、突入電流防止回路に備わる抵抗の焼損を防止可能であり、ＭＦＰだけでなく、複写機、ファクシミリ、プリンタ等の様々な電気機器に適用可能である。
【符号の説明】
【００５８】
１，１ａ，１ｂ  電源装置
１１  モニタ回路
１２  突入電流防止回路
１３  ダイオードブリッジ
１４  コンデンサ
１５  大負荷用ＤＣ／ＤＣコンバータ
１６  小負荷用ＤＣ／ＤＣコンバータ
１７  遅延手段
１８  スイッチング素子
２  ＡＣ入力端子
３  メインスイッチ
４  エンジン負荷
５，５ａ，５ｂ  制御基板
５１，５１ａ，５１ｂ  ＣＰＵ
５２  制御負荷
５３ａ，５３ｂ  メモリ
【図１】
2014007817.tif 000003
【図２】
2014007817.tif 000004
【図３】
2014007817.tif 000005
【図４】
2014007817.tif 000006
【図５】
2014007817.tif 000007
【図６】
2014007817.tif 000008
【図７】
2014007817.tif 000009